(57)【要約】  【課題】  視聴者が見逃したくない場面と、特に見たくない場面とを容易に区別可能とするとともに、所望のシーンの確実なる鑑賞を可能とさせる受信端末を提供することを目的とする。  【解決手段】  放送による信号を受信するアンテナ１１と、前記受信された信号から字幕情報やＢＭＬ文書等の文字情報を抽出する文字抽出部（１４、３１）と、前記文字情報が予め設定された報知条件（３０）を充足するかについて判断する条件照合部３２と、前記条件照合部３２により前記報知条件の充足が判断されたとき、所定の報知動作を行う報知部（３４、２１）とを備えている。【選択図】      図１
2005277984.tif 000002
【特許請求の範囲】
【請求項１】
放送による信号を受信する受信手段と、
前記受信された信号から文字情報を抽出する文字抽出手段と、
前記文字情報が予め設定された報知条件を充足するかについて判断する条件照合手段と
、
前記条件照合手段により前記報知条件の充足が判断されたとき、所定の報知動作を行う
報知手段とを備えたことを特徴とする受信端末。
【請求項２】
前記受信手段は、データ放送または字幕情報を含む放送による信号を受信するものであ
ることを特徴とする請求項１に記載の受信端末。
【請求項３】
通信による信号を受信する受信手段と、
前記受信された信号から文字情報を抽出する文字抽出手段と、
前記文字情報が予め設定された報知条件を充足するかについて判断する条件照合手段と
、
前記条件照合手段により前記報知条件の充足が判断されたとき、所定の報知動作を行う
報知手段とを備えたことを特徴とする受信端末。
【請求項４】
前記報知条件はキーワードからなり、
前記条件照合手段は、前記文字情報に含まれる文字と前記キーワードが一致するとき、
前記報知条件を充足すると判断することを特徴とする請求項１〜請求項３のいずれかに記
載の受信端末。
【請求項５】
前記文字情報は、所定の規則に則って記述された複数の文字列から構成され、
前記報知条件は、前記文字情報を構成する文字列の一部を対象として設定可能であるこ
とを特徴とする請求項１〜請求項４のいずれかに記載の受信端末。
【請求項６】
前記所定の規則に則って記述された複数の文字列は、単一または複数のＢＭＬ文書から
なることを特徴とする請求項５に記載の受信端末。
【請求項７】
特定のＢＭＬ文書に含まれる特定の文字列が変更されることを前記報知条件として設定
可能であることを特徴とする請求項６に記載の受信端末。
【請求項８】
前記報知動作の開始後、所定の時間内においては、前記報知手段による再度の報知動作
の開始を禁止する報知禁止手段を備えたことを特徴とする請求項４に記載の受信端末。
【請求項９】
前記受信手段は、音声信号を受信し、
前記文字抽出手段は、前記音声信号を解析して文字列に変換する音声文字変換手段を有
して、その変換された文字列を前記文字情報として抽出することを特徴とする請求項４に
記載の受信端末。
【請求項１０】
前記文字情報を表示する表示画面を備え、
前記報知手段は、前記表示画面の電源がオフであり、且つ前記条件照合手段により前記
報知条件の充足が判断されたとき、前記表示画面の電源をオンすることを特徴とする請求
項１または請求項３に記載の受信端末。
【請求項１１】
前記受信手段が受信した信号に基づく情報を記録可能な記録手段と、
前記条件照合手段により前記報知条件の充足が判断されたとき、前記記録手段に前記情
報の記録を行わせる制御部とを備えたことを特徴とする請求項１または請求項３に記載の
受信端末。
【請求項１２】
前記受信手段が受信した信号に基づく情報を記録可能な記録手段と、
前記記録手段が前記情報を記録している最中において、前記条件照合手段により前記報
知条件の充足が判断された時、前記情報にその時以外の情報と識別するためのチャプター
情報を付加する制御部とを備えたことを特徴とする請求項１または請求項３に記載の受信
端末。
【発明の詳細な説明】
【技術分野】
【０００１】
本発明は、放送または通信による信号を受信する携帯電話機等の受信端末に関し、特に
受信した情報の効率的な活用に寄与する受信端末に関する。
【背景技術】
【０００２】
近年、テレビ番組放送において、電子番組ガイド（Electronic Program Guide；ＥＰＧ
）の提供サービスが行われたり、一定時間ごとにチャプターを設けたりする等、放送に付
加情報を与えるような技術が開発されている。
【０００３】
また、例えば、下記特許文献１には、データ放送と同時に放送される映像信号及び音声
信号をデジタル化して記憶媒体に一時的に記憶する記憶手段と、この記憶手段に記憶され
た映像信号及び音声信号からキーワードデータを抽出するデータ処理装置とで構成され、
ユーザからの操作で映像信号及び音声信号から抽出されたデータに基づき、データ放送デ
ータベースから情報を検索してデータを表示することを特徴とするデータ放送受信装置、
が開示されている。
【特許文献１】特許２０００−１９６４７８号公報
【発明の開示】
【発明が解決しようとする課題】
【０００４】
ところで、テレビ番組の視聴者は、放送を受信している最中であっても、時間的制約等
のため、表示画面を見続けることができないことも多い。これは、家庭用のテレビ受信機
であってもいえることであるが、特に携帯端末（携帯電話機等）にてデジタル放送等を受
信し、視聴しようとする場合は顕著である。一方において、「テレビ番組中の特定の場面
だけは見逃したくない」、あるいはスポーツ試合の中継番組等において「試合の途中経過
だけでも知りたい」といった要望は強い。
【０００５】
しかしながら、電子番組ガイドやチャプターを設ける等による付加情報は、生放送での
対応が困難であり、予め定められた番組予定に沿って提供されるにとどまるため、上述の
要望に応えることはできない。また、逆に言えば、上記特定の場面の鑑賞や上記途中経過
の確認を確実にするには、特に鑑賞を望まない映像等も視聴し続ける必要があるため、視
聴者にとって時間的制約を与えてしまう。
【０００６】
また、上記特許文献１の従来構成例は、ユーザの操作によって所望のデータを動的に抽
出しようとするものであるが、鑑賞したい場面が放送されていることをリアルタイムにユ
ーザは知るこができず、結局、上述の要望に応えることができない。
【０００７】
本発明は、上記の点に鑑み、視聴者が所望する受信内容と、そうでない受信内容を容易
に区別可能とするとともに、表示画面等の確認をしていなくても、所望の受信内容の確実
なる鑑賞を可能にする受信端末を提供することを目的とする。
【課題を解決するための手段】
【０００８】
上記目的を達成するために本発明に係る受信端末は、放送による信号を受信する受信手
段と、前記受信された信号から文字情報を抽出する文字抽出手段と、前記文字情報が予め
設定された報知条件を充足するかについて判断する条件照合手段と、前記条件照合手段に
より前記報知条件の充足が判断されたとき、所定の報知動作を行う報知手段とを備えてい
る。
【０００９】
これにより、視聴したい特定の場面に合致する報知条件を設定しておけば、前記報知動
作を受けることにより、その特定の場面になったことを視聴者は認知することが可能とな
る。その結果、その特定の場面を確実に鑑賞することができる。また、表示画面等を確認
することなく、視聴したい映像等と特に視聴を望まない映像等とを区別することができる
ようになる。また、放送内容の進行状況を確認することもできる。
【００１０】
また、ここにおける文字情報とは、字幕情報を含む放送を受信する場合にあっては字幕
文を意味する。また、データ放送を受信する場合にあってはＢＭＬ（Broadcast Makeup L
anguage）文書を意味するが、該データ放送がＢＭＬ以外の言語で記述された文書を提供
するものであるならば、そのＢＭＬ以外の言語で記述された文書を意味することとなる。
【００１１】
また、例えば、上記構成において、前記受信手段は、データ放送または字幕情報を含む
放送による信号を受信するものであるようにするとよい。
【００１２】
また、上記目的を達成するために本発明に係る受信端末は、通信による信号を受信する
受信手段と、前記受信された信号から文字情報を抽出する文字抽出手段と、前記文字情報
が予め設定された報知条件を充足するかについて判断する条件照合手段と、前記条件照合
手段により前記報知条件の充足が判断されたとき、所定の報知動作を行う報知手段とを備
えている。
【００１３】
これにより、視聴したい特定の場面に合致する報知条件を設定しておけば、前記報知動
作を受けることにより、その特定の場面になったことを視聴者は認知することが可能とな
る。その結果、その特定の場面を確実に鑑賞することができる。また、表示画面等を確認
することなく、視聴したい映像等と特に視聴を望まない映像等とを区別することができる
ようになる。また、受信した内容の状況を確認することもできる。
【００１４】
また、例えば、上記構成において、前記報知条件はキーワードからなり、前記条件照合
手段は、前記文字情報に含まれる文字と前記キーワードが一致するとき、前記報知条件を
充足すると判断するようにしてもよい。
【００１５】
このように構成することで、視聴者は視聴したい特定の場面をキーワードで表現し、そ
のキーワードを報知条件として設定が可能である。そして、文字情報に含まれる文字列が
キーワードと一致するとき、視聴者は前記報知動作を受ける。これにより、その特定の場
面になったことを視聴者は認知することが可能となり、その特定の場面を確実に鑑賞する
ことができる。
【００１６】
また、例えば、上記構成において、前記文字情報は、所定の規則に則って記述された複
数の文字列から構成され、前記報知条件は、前記文字情報を構成する文字列の一部を対象
として設定可能であるようにしてもよい。
【００１７】
抽出される文字情報は様々な情報が含まれていることが通常であり、文字情報を構成す
る全ての文字列を対象として、前記報知条件の充足を判断するようにすると、真に視聴者
が視聴を希望する場面が放送されている状態でなくても、視聴者は前記報知動作を受けて
しまうことがある。そこで、前記文字情報を構成する文字列の一部を対象として前記報知
条件が設定され得るようにし、その設定の対象となっている前記文字列の一部が前記報知
条件を充足するか否かについて、前記条件照合手段が判断するように構成することで、視
聴者は、より明確に、視聴したい映像等と特に視聴を望まない映像等とを区別することが
できるようになる。
【００１８】
また、例えば、上記構成において、前記所定の規則に則って記述された複数の文字列は
、単一または複数のＢＭＬ文書からなるようにしてもよい。
【００１９】
また、例えば、上記構成において、特定のＢＭＬ文書に含まれる特定の文字列が変更さ
れることを前記報知条件として設定可能であるようにしてもよい。
【００２０】
また、例えば、上記構成において、前記報知動作の開始後、所定の時間内においては、
前記報知手段による再度の報知動作の開始を禁止する報知禁止手段を備えるようにしても
よい。
【００２１】
これにより、文字情報にキーワードが何度も連続して含まれる場合であっても、連続し
て報知動作を受けることがなく、視聴者の使い勝手が向上する。
【００２２】
また、例えば、上記構成において、前記受信手段は、音声信号を受信し、前記文字抽出
手段は、前記音声信号を解析して文字列に変換する音声文字変換手段を有して、その変換
された文字列を前記文字情報として抽出するようにしてもよい。
【００２３】
これにより、放送に字幕情報やＢＭＬ文書が含まれていなくても、視聴したい特定の場
面に合致する報知条件（キーワード）を設定しておけば、前記報知動作を受けることがで
きる。
【００２４】
また、例えば、上記構成において、前記文字情報を表示する表示画面を備え、前記報知
手段は、前記表示画面の電源がオフであり、且つ前記条件照合手段により前記報知条件の
充足が判断されたとき、前記表示画面の電源をオンするようにしてもよい。
【００２５】
このように構成すれば、表示画面が省電力等のために電源をオフしているときでも、報
知条件が満たされれば、自動的に表示画面の電源がオンする。従って、視聴者は視聴を望
む場面を、すばやく視聴できるようになる。また、逆にすばやい視聴が可能となることか
ら、視聴者は安心して表示画面の電源をオフの状態にしておくことができ、省電力に寄与
することができる。
【００２６】
また、例えば、上記構成において、前記受信手段が受信した信号に基づく情報を記録可
能な記録手段と、前記条件照合手段により前記報知条件の充足が判断されたとき、前記記
録手段に前記情報の記録を行わせる制御部とを備えるようにしてもよい。
【００２７】
これにより、視聴を望む場面の映像等を、後から再生して視聴することが可能となる。
【００２８】
また、例えば、上記構成において、前記受信手段が受信した信号に基づく情報を記録可
能な記録手段と、前記記録手段が前記情報を記録している最中において、前記条件照合手
段により前記報知条件の充足が判断された時、前記情報にその時以外の情報と識別するた
めのチャプター情報を付加する制御部とを備えるようにしてもよい。
【００２９】
これにより、記録された映像等を後から再生して視聴する際、所望の場面を容易且つ即
座に選択し、再生することができる。
【発明の効果】
【００３０】
上述した通り、本発明に係る受信端末によれば、視聴者が所望する受信内容と、そうで
ない受信内容を容易に区別することが可能となるとともに、表示画面等の確認をしていな
くても、所望の受信内容を確実に鑑賞することができるようになる。
【発明を実施するための最良の形態】
【００３１】
＜＜第１実施形態＞＞
以下、本発明に係る受信端末の第１実施形態について図面を参照しながら説明する。第
１実施形態では、デジタル放送を受信し、その受信したデジタル信号に含まれる字幕情報
を利用する携帯電話機１を、本発明に係る受信端末の例として説明する。図１は、携帯電
話機１の電気的構成を示すブロック図である。
（図１：携帯電話機１の構成の説明）
携帯電話機１は、衛星や放送局（双方とも不図示）から放送される信号を受信するアン
テナ１１と、アンテナ１１より受信した放送信号より所望のチャンネルの放送信号の復調
を行うチューナ１２と、チューナ１２で復調されて得たＴＳ（Transport Stream）を記録
可能な記録手段としての記録媒体１３と、記録媒体１３に記録されたＴＳまたはチューナ
ー１２からのＴＳを、複数のＰＥＳ（Packetized Elementary Stream）及びセクションデ
ータに分割するデマルチプレクサ（ＤＥＭＵＸ）１４と、デマルチプレクサ１４より出力
される後述する独立ＰＥＳを処理するとともに携帯電話機１内の各部の動作の制御を行う
制御部１５と、デマルチプレクサ１４より出力される後述する映像ＰＥＳ及び音声ＰＥＳ
を、それぞれ処理するビデオデコーダ１６及びオーディオデコーダ１７と、映像（字幕文
も含む）が表示される表示画面１８と、音声が出力されるスピーカ１９と、視聴者によっ
て操作されることで所望の動作が指示入力される入力部２０と、携帯電話機１を振動させ
るためのモータ等から成る振動部２１と、から概略構成される。尚、携帯電話機１は、通
常の電話機としての通話に関する電波を基地局等（不図示）との間で送受信するアンテナ
（不図示）や、外部から音声を入力し制御部１５にその音声に関する信号を与えるマイク
（不図示）等も備えている。
【００３２】
また、制御部１５は、入力部２０を操作することにより設定されたキーワード（報知条
件としてのキーワード）を記憶する報知条件記憶部３０と、デマルチプレクサ１４より後
述する独立ＰＥＳを受けて字幕情報を復号化するとともに、該字幕情報を格納する文章格
納部３１と、文章格納部３１に格納された字幕情報と報知条件記憶部３０に記憶されたキ
ーワードとを比較し、その比較結果を後述するメインコントローラ３７に与える条件照合
部３２と、ビデオデコーダ１６及びオーディオデコーダ１７からの送出される信号、並び
にメインコントローラ３７からの制御信号を受けて表示画面１８及びスピーカ１９を駆動
する出力制御部３３と、振動部２１を制御する報知部３４と、再報知禁止時間記憶部３５
と、タイマー回路３６と、入力部２０の操作に基づく信号を受けつつ、制御部１５に含ま
れる各部の動作の制御を行うとともに、チューナ１２、記録媒体１３及びデマルチプレク
サ１４の制御を司るメインコントローラ３７とから概略構成される。尚、再報知禁止時間
記憶部３５及びタイマー回路３６の動作については後述する。
【００３３】
このように構成された携帯電話機１においては、アンテナ１１で受信される放送信号の
うち入力部２０によって指示されたチャンネルの放送信号が、チューナ１２にて選択され
て復調されるように、制御部１５がチューナ１２を制御する。このとき、チューナ１２で
復調された放送信号は、デジタル信号であるＴＳに変換されて記録媒体１３及びデマルチ
プレクサ１４に出力される。
【００３４】
尚、チューナ１２とデマルチプレクサ１４との間に必ず記録媒体１３が介在するように
してもよい。即ち、チューナ１２より出力されるＴＳを、直接デマルチプレクサ１４に与
えるようにするのではなく、一旦、ＤＶＤ−ＲＡＭ（Digital Versatile Disk Random Ac
cess Memory）やハードディスク、ビデオテープなどの記録媒体１３に記録されるように
してもよい。この場合は、記録媒体１３に記録されたＴＳを読み出して再生するように制
御部１５が記録媒体１３を制御することにより、記録媒体１３に記録されたＴＳは読み出
されて、デマルチプレクサ１４に送出される。
【００３５】
チューナ１２より出力された後、デマルチプレクサ１４まで送出されるＴＳは、字幕文
や映像や音声などの複数の情報を含む固定長のＴＳパケットが連続したデジタル信号であ
る。このようなＴＳは、ＴＳパケット単位毎に、パケットの内容の種類を表すＰＩＤ（Pa
cket ID）を有する。また、ＴＳ内には、ＴＳを受信して再生する際に、送信側の規格情
報などの情報伝送上必要とされる情報となるＳＩ（Service Information）／ＰＳＩ（Pro
gram Specific Information）情報などが含まれる。尚、このＳＩ／ＰＳＩ情報などのセ
クションデータによって、各ＴＳパケット内の情報の様式や配置が認識される。
【００３６】
デマルチプレクサ１４の機能によって、このセクションデータを含むＴＳパケットがＴ
Ｓより分割され、制御部１５に送出されると、セクションデータが制御部１５において解
析され、視聴者の所望するチャンネルにおける各ＰＥＳを有するＴＳパケットの種類を示
すＰＩＤが設定される。そして、このようにして設定されたＴＳパケットのＰＩＤが制御
部１５よりデマルチプレクサ１４に与えられる。よって、デマルチプレクサ１４では、制
御部１５より与えられたＰＩＤと、チューナ１２または記録媒体１３より送出されるＴＳ
の各ＴＳパケット毎に付加されたＰＩＤとを比較する。
【００３７】
そして、この比較結果より各ＴＳパケットの種類を認識し、映像情報を含むＴＳパケッ
トを映像ＰＥＳとしてビデオデコーダ１６に、音声情報を含むＴＳパケットを音声ＰＥＳ
としてオーディオデコーダ１７に、字幕情報を含むＴＳパケットを独立ＰＥＳとして制御
部１５（より具体的には、文章格納部３１）に、それぞれ送出する。
【００３８】
ビデオデコーダ１６では、映像ＰＥＳに基づいて映像情報が復号化され、オーディオデ
コーダ１７では、音声ＰＥＳに基づいて音声情報が復号化される。そして、復号化して得
られた映像情報及び音声情報は、出力制御部３３に送出される。また、文章格納部３１で
は、独立ＰＥＳに基づいて字幕情報が復号化される。
【００３９】
そして、この字幕情報がビデオデコーダ１６より送出される映像情報と合成されること
によって生成された映像情報に基づいて、字幕文を含む映像を表示するように、出力制御
部３３は表示画面１８を制御する。また、オーディオデコーダ１７より送出される音声情
報に基づいて、スピーカ１９から音声が出力されるように、出力制御部３３はスピーカ１
９を制御する。尚、出力制御部３３は、メインコントローラ３７による制御を受けて表示
画面１８に対する電源をオン／オフする制御も行う。
【００４０】
また、入力部２０は、０〜９の数字キー、決定キー、及び表示画面１８上の特定のポイ
ントを指定するためのカーソルを移動させる上下左右の方向キー（全てのキーは不図示）
等を備えている。
【００４１】
尚、携帯電話機１は、折りたたみ可能な構造となっている。また、一定時間連続して入
力部２０に対する操作がなかったとき、メインコントローラ３７は、表示画面１８の電源
をオフする制御を行う（以下、この制御を「省電力制御」という）。
【００４２】
（字幕文の表示方法について：８単位符号）
本実施形態に係るデジタル放送においては、表示画面１８に映像とともに表示される字
幕文は、放送局（不図示）にて８単位符号と呼ばれる方式で符号化されている。この８単
位符号による符号化を行うと、字幕文を表示画面１８のどこに表示させるか（表示位置）
や字幕文の書式（縦書き、横書き、横スクロール等）等の字幕制御情報が設定可能となる
。従って、整理すると、本明細書における字幕文とは、表示画面１８に映像とともに表示
される文字列そのものを意味しており、字幕情報は、その文字列（字幕文）とその文字列
以外の字幕制御情報から構成される。また、字幕情報または字幕情報を構成する字幕文は
、８単位符号化方式という所定の規則に則って記述された複数の文字列から構成されてい
るともいえる。
【００４３】
（図２：動作の説明  キーワード条件）
次に、図２に示すフローチャートを用いて、携帯電話機１の動作例について説明する。
ステップＳ１において、テレビ番組が表示画面１８に表示されるよう、入力部２０を操作
する。続いて、視聴者は入力部２０を操作することにより、テレビ番組の選局を行う（ス
テップＳ２）。すると、チューナ１２は、選局されたチャンネルの放送信号の復調を行う
ようになる。この選局されたチャンネルの放送信号には字幕情報が含まれているものとす
る。そうすると、字幕文を含む映像が表示画面１８に表示されるようになる。尚、説明の
具体化のため、選局したチャンネルの放送している番組は、サッカー番組（サッカーの試
合を実況しているもの）であるとする。
【００４４】
ステップＳ２を終えて移行するステップＳ３では、再報知禁止時間Ｔ１を、例えば５分
と設定する（ステップＳ３）。この再報知禁止時間Ｔ１の値（５分）は、メインコントロ
ーラ３７を介して、再報知禁止時間記憶部３５に記憶される。
【００４５】
更に続いて、視聴者は入力部２０を操作することにより、報知条件としてのキーワード
を設定する（ステップＳ４）。ここで、キーワードとして「ゴール」という文字列を設定
したとする。この設定されたキーワードは、メインコントローラ３７を介して、報知条件
記憶部３０に記憶される（ステップＳ５）。
【００４６】
次々と連続的に送信される放送信号から、設定されたキーワードと関わりなく、次々と
連続的に字幕情報が文章格納部３１により復号化される。この復号化された字幕情報、及
び報知条件記憶部３０に記憶されたキーワード（「ゴール」という文字列）は、メインコ
ントローラ３７を介して条件照合部３２送られ、比較処理が行われる（ステップＳ６）。
【００４７】
ステップＳ６を終えて移行するステップＳ７では、ステップＳ６における比較結果が評
価され、字幕情報を構成する字幕文とキーワードが一致（即ち、報知条件が充足）すると
きは、後述するステップＳ８に移行し（ステップＳ７のＹ）、一致しないときはステップ
Ｓ６に戻って（ステップＳ７のＮ）、次に条件照合部３２に送られてくる字幕文とキーワ
ードとの間で、再度比較処理が行われる。
【００４８】
具体的に例を挙げれば、比較対象となっている字幕文が「シュートしましたが、ボール
はディフェンダーに当たりました。」であった場合は、その字幕文に「ゴール」という文
字列は含まれていないため、ステップＳ６に戻る。一方、比較対象となっている字幕文が
「シュート。決まった。ゴール。」である場合は、その字幕文に「ゴール」という文字列
が含まれているため、後述するステップＳ８に移行するのである。
【００４９】
ステップＳ８では、字幕文を表示する表示画面１８の電源がオフとなっている場合は、
電源がオンされる。ステップＳ７との関係を考慮すると、表示画面１８の電源がオフであ
り、且つステップ７における判断結果が一致（充足）のとき、表示画面１８の電源をオン
するのである（この処理を以下「画面ＯＮ制御」という）。ステップＳ１〜Ｓ７において
、電源をオフするという処理は明示していないが、ステップＳ６とステップＳ７の繰り返
し処理の間等に、視聴者が入力部２０を操作することにより、表示画面１８の電源をオフ
していていた場合や、メインコントローラ３７が上記「省電力制御」を行っていた場合は
、ステップＳ８の処理の直前において、表示画面１８の電源はオフとなっている。このよ
うにステップＳ８に移行してきた際、表示画面１８の電源がオフとなっていた場合におい
てのみ、ステップＳ８は有効であり、表示画面１８の電源がオンとなっている場合には、
ステップＳ８の処理は実行されない。
【００５０】
ステップＳ８を終えて移行するステップＳ９では、報知部３４が振動部２１を制御して
、携帯電話機１を振動させる。これにより、視聴者は、携帯電話機１を折りたたんで衣服
のポケットに入れていた場合等であっても、字幕文がキーワードと一致したことを知るこ
とが可能となる。
【００５１】
携帯電話機１を所有していても、時間的制約等より、その表示画面１８を見続けること
は困難なことが多い（上記ステップＳ６とＳ７の繰り返しにおいて、携帯電話機１を折り
たたんでしまうことは、頻繁に起こる）。また、この事情は、携帯電話機１に限らず、家
庭用のテレビ受信機においても存在する。一方において、放送されているテレビ番組の内
容の全ては視聴できないが、そのテレビ番組中の特定の場面（例えば、サッカー番組にお
いて、得点が入ったときの場面）だけは、見逃したくないという要望は強い。また、サッ
カーの試合等のスポーツ中継番組においては、その途中経過だけでも、知りたいという要
望も強い。
【００５２】
この携帯電話機１によれば、そのような要望を満たすことができる。ステップＳ９にお
ける振動部２１の作動により、テレビ番組の内容が特定の場面に至ったことを、認知する
ことができるからである。尚、振動部２１の作動による振動の発生に代えて、スピーカ１
９からの放音、表示画面１８の明滅、ＬＥＤ（不図示）の発光等によって、視聴者にキー
ワードの一致を認識させてもよいし、それらを任意に組み合わせてもよい。
【００５３】
また、ステップ９においては、タイマー回路３６が、振動部２１による振動（視聴者に
対する報知動作）の開始時点からの時間Ｔ２を計測する。
【００５４】
ステップＳ９を終えると、ステップＳ１０に移行し、時間Ｔ２が再報知禁止時間Ｔ１以
上となっているかを判断する。Ｔ２＜Ｔ１が成立する場合は（ステップＳ１０のＮ）、再
度ステップＳ９の判断処理を行い、Ｔ２≧Ｔ１が成立する場合は（ステップＳ１０のＹ）
、時間Ｔ２に０を代入した後（ステップＳ１１）、前述したステップＳ６に戻る。
【００５５】
つまり、ステップＳ１０に至った後（報知動作の開始後）は、再報知禁止時間Ｔ１以上
の時間が経過しないと、再度のステップＳ９の処理は行われない（換言すれば、再報知禁
止時間Ｔ１以内は、再度の報知動作の開始が禁止される。この処理を以下、「再報知禁止
処理」という）。この「再報知禁止処理」は、主としてタイマー回路３６、再報知禁止時
間記憶部３５及びメインコントローラ３７にて実現され、これらは「報知禁止手段」を構
成するといえる。
【００５６】
例えばサッカー番組においては、一度ゴールが決まると（得点が入ると）、その試合を
実況する者は、しばらくの間、その「ゴール」について解説するために、頻繁に「ゴール
」という言葉を発声することが多い。この場合は、その発声に連動して字幕文にも、「ゴ
ール」という文字列が含まれるようになる。しかしながら、視聴者は、その度に携帯電話
機１が振動することを望まないことが、通常である。この再報知禁止時間Ｔ１の設定は、
そのような視聴者にとっての不都合を解消することができる。尚、ステップＳ３における
再報知禁止時間Ｔ１の設定は、省略することが可能であり、省略された場合は、例えば再
報知禁止時間Ｔ１としては０が代入される。即ち、ステップＳ９を介して、ステップＳ１
０に移行すると、直ちにステップＳ１１を介して、ステップＳ６に移行することとなる。
【００５７】
このように、携帯電話機１は、放送による信号を受信する受信手段としてのアンテナ１
１を備え、入力部２０の操作により報知条件としてのキーワードの設定を受け、放送を受
信して、受信された信号から文字情報である字幕文を抽出する。この字幕文を抽出する機
能は、主としてデマルチプレクサ１４及び文章格納部３１にて実現され、これらは「文字
抽出手段」としての機能を有する。そして、字幕情報が予め設定された報知条件（振動部
２１を振動させるという「報知動作」を、行うか否かを判断するための条件）を充足する
かを、「条件照合手段」としての条件照合部３２が判断する。そして、その判断結果が充
足のとき、「報知手段」としての報知部３４及び振動部２１が前記「報知動作」を行うの
である。より具体的には、前記報知条件はキーワードからなり、字幕文（上述の例では「
シュート。決まった。ゴール。」）に含まれる文字が予め設定されたキーワード（上述の
例では「ゴール」）と一致するとき、前記報知条件が充足されたと判断して、前記「報知
動作」を行うのである。
【００５８】
（図３：範囲指定）
また、上記ステップＳ４において、次のような報知条件を追加することも可能である。
図３は、その追加する報知条件を説明するための図である。ステップＳ４において、キー
ワード（「ゴール」）の設定とともに、表示画面１８中のエリア１８ａを指定するのであ
る。この指定は、表示画面１８上のカーソル（不図示）を入力部２０の上下左右の方向キ
ー（不図示）や、ポインティングデバイス（不図示）を操作して移動させる等することに
より、行うことができるようにする。このようなユーザーインターフェースは、一般にＧ
ＵＩ（Graphical User Interface）と呼ばれており、操作方法等は一般的な手法と同様で
あるため、詳細は省略する。
【００５９】
このような報知条件の追加を行うと、キーワード（「ゴール」）という文字列が、表示
画面１８中のエリア１８ａに表示されたときに、報知条件を充足すると条件照合部３２は
認識する。即ち、ステップＳ７において、「字幕文にキーワードが含まれている」という
だけではステップＳ８に移行せず、「キーワードがエリア１８ａ内に表示されたとき」の
み、ステップＳ８に移行する処理が行われるようになる。つまり、表示画面１８に表示さ
れる字幕文の一部のみを対象として、キーワードとの一致／不一致を判断するのである。
換言すれば、報知条件が、字幕文を構成する文字列の一部のみを対象として設定可能であ
り、条件照合部３２は、その設定の対象となっている文字列の一部が前記報知条件を充足
するかについて判断するのである。このような字幕文の表示画面１８における表示位置ま
で指定した判断処理は、構成する字幕文の表示位置を示す字幕制御情報（この字幕制御情
報は、上述のように字幕情報に含まれている）を解析して利用するようにすれば可能であ
る。
【００６０】
（記録開始制御）
また、上述のステップＳ９においては、チューナ１２で復調されることにより得られた
ＴＳの記録を開始するよう、メインコントローラ３７が記録媒体１３を制御する（この制
御を、以下「記録開始制御」という）ようにしてもよい。この記録の開始を行うか否かは
、入力部２０を操作することにより設定する。この記録の開始は、勿論、振動部２１の作
動による振動の発生（ステップＳ９）と置換してもよいし、組み合わせてもよい。また、
制御部１５が、記録媒体１３に記録されたＴＳを読み出して再生するように制御するため
、記録媒体１３に記録されたＴＳを再生する機能を有する「再生手段」は、主として制御
部１５から構成されているとも言える。この「記録開始制御」により、視聴者は、記録媒
体１３に記録されたその映像等を再生することで、所望の映像場面を後から視聴すること
が可能となる。
【００６１】
また、上記「記録開始制御」による記録動作の開始してから、所定の時間（例えば、５
分）経過した時点で、記録動作を停止するようにしてもよい。この記録動作の開始と停止
を繰り返すことにより、記録媒体１３は自動的に所望の映像場面ばかりが記録されたもの
となる。
【００６２】
（チャプター打ち制御）
また、記録媒体１３にＴＳを記録している最中において上述のステップＳ９に至った時
（報知条件が充足された時）は、その時のＴＳにその時以外のＴＳと識別するためのチャ
プター情報を付加するよう、メインコントローラ３７が記録媒体１３を制御する（この制
御を、以下「チャプター打ち制御」という）ようにしてもよい。このチャプター情報の付
加を行うか否かは、入力部２０を操作することにより設定する。記録媒体１３に記録され
た映像等を再生する際において、このチャプター情報が付加された映像場面は、所定の操
作（入力部２０）を行うことで、容易且つ即座に選択及び再生が可能となる。このチャプ
ター情報の付加は、勿論、振動部２１の作動による振動の発生（ステップＳ９）と置換し
てもよいし、組み合わせてもよい。この「チャプター打ち制御」により、視聴者は、記録
媒体１３に記録された映像等を後から再生して視聴する際、所望の映像場面を容易且つ即
座に選択し、再生することが可能となる。
【００６３】
＜＜第２実施形態＞＞
以下、本発明に係る受信端末の第２実施形態について図面を参照しながら説明する。第
２実施形態では、デジタル放送を受信し、その受信したデジタル信号に含まれる音声に関
する信号を利用する携帯電話機２を、本発明に係る受信端末の例として説明する。図４は
、携帯電話機２の電気的構成を示すブロック図である。図４において、図１と同一の部分
は同一の符号を付して説明を省略する。
【００６４】
携帯電話機２を構成する部分のうち、携帯電話機１と相違する特異な部分のみを説明す
る。携帯電話機２が備える制御部４０は、音声を文字に変換する機能を有する音声文字変
換部４２を備えているとともに、携帯電話機１が備えていた文章格納部３１の代わりに文
章格納部４１を備えている。携帯電話機２は、その他の点では携帯電話機１と一致してい
る。
【００６５】
アンテナ１１が受信したデジタル信号には、音声情報が符号化された音声信号が含まれ
ており、デマルチプレクサ６１は音声ＰＥＳを音声信号としてオーディオデコーダ１７に
送出する。オーディオデコーダ１７は、音声ＰＥＳを復号化することにより得られた音声
情報を音声文字変換部４２に与える。音声文字変換部４２は、その音声情報を解析するこ
とによりその音声情報を文字列に変換する。この変換された文字列（以下、「音声変換文
字列」という。）は、スピーカ１９から出力される文章（日本語等）そのものを文字列に
変換したものである。そして、音声文字変換部４２は、その音声変換文字列を文章格納部
４１に与える。つまり、音声文字変換部４２は、音声ＰＥＳから文字列を文字情報として
抽出する。また、音声ＰＥＳは、デジタル放送に含まれる信号から生成されたものである
と言える。尚、該デジタル放送には字幕情報が含まれていても、含まれていなくてもよい
。
【００６６】
また、前記音声信号を解析して文字列に変換する音声文字変換部４２は、「音声文字変
換手段」としての機能を有すると言える。また、前記音声信号を解析して文字列に変換し
、その変換された文字列を文字情報として抽出する機能を有する「文字抽出手段」は、主
としてデマルチプレクサ１４、オーディオデコーダ１７、音声文字変換部４２及び文章格
納部４１から構成されていると言える。
【００６７】
携帯電話機２の動作は、図２を用いて説明した携帯電話機１の動作と同様である。即ち
、図２におけるステップＳ１〜Ｓ５を経た後、第１実施形態における文章格納部３１が字
幕文を取り扱ったのと同様に、文章格納部４１は、その音声変換文字列を、メインコント
ローラ３７を介して条件照合部３２に与える。条件照合部３２では、第１実施形態におい
て報知条件記憶部３０に記憶されているキーワードと字幕文とを比較したのと同様、報知
条件記憶部３０に記憶されているキーワードと音声変換文字列とを比較し（ステップＳ６
〜Ｓ７）、その結果をメインコントローラ３７に与える。
【００６８】
そして、音声変換文字列（即ち、スピーカ１９から出力される文章そのもの）に含まれ
る文字とキーワードが一致するとき（ステップＳ７のＹ）、図２のステップＳ９における
報知動作が行われる。従って、視聴者は、所望の映像場面を見逃すことなく、視聴が可能
となる。また、放送に字幕情報やＢＭＬ文書が含まれていなくても、視聴したい特定の場
面に合致するキーワードを設定しておけば、前記報知動作を受けることができる。
【００６９】
尚、携帯電話機２においても、上記「記録開始制御」及び「チャプター打ち制御」は適
用可能である。
【００７０】
＜＜第３実施形態＞＞
以下、本発明に係る受信端末の第３実施形態について図面を参照しながら説明する。第
３実施形態では、マルチメディアサービスであるデータ放送を含んだデジタル放送を受信
する携帯電話機３を、本発明に係る受信端末の例として説明する。図５は、携帯電話機３
の電気的構成を示すブロック図である。図５において、図１におけるものと同様のものは
同一の符号を付して説明を省略する。
【００７１】
また、ここにおけるデータ放送とは、マルチメディア符号化方式ＢＭＬ（Broadcast Ma
keup Language）に基づくマルチメディア放送を意味する。携帯電話機３が受信するデジ
タル放送には、字幕情報が含まれる場合もあるが、その字幕情報の利用法は第１実施形態
におけるものと同様である。
（図５：携帯電話機３の構成の説明）
図５において、図１におけるものと相違するものについて説明する。チューナ１２より
出力された後、デマルチプレクサ６１まで送出されるＴＳは、第１実施形態におけるもの
と同様、ＴＳパケットが連続したデジタル信号であるが、このＴＳが第１実施形態におけ
るＴＳと相違する点は、第３実施形態におけるＴＳが、マルチメディアデータを符号化し
た情報を含んでいる点である。
【００７２】
デマルチプレクサ６１は、図１におけるデマルチプレクサ１４と同等の機能を有すると
ともに、ＴＳからＢＭＬで記述されたマルチメディアデータを分離して、そのマルチメデ
ィアデータを文章格納部５１に送出する。この文章格納部５１に送出されたマルチメディ
アデータは、セクション（Section）と呼ばれる形式になっており、文章格納部５１は、
このマルチメディアデータを復号化してＢＭＬ文書（ＢＭＬという所定の規則に則った言
語で記述された文書）を取得し、そのＢＭＬ文書を自身に格納する。
【００７３】
報知条件記憶部５０は、入力部２０を操作することにより設定される報知条件を記憶す
る。条件照合部５２は、文章格納部５１に格納されたＢＭＬ文書と報知条件を比較し、そ
の比較結果をメインコントローラ５７に与える。メインコントローラ５７は、入力部２０
の操作に基づく信号を受けつつ、当該制御部６０に含まれる各部の動作の制御を行うとと
もに、チューナ１２、記録媒体１３及びデマルチプレクサ６１の制御を司る。制御部６０
は、制御部１５（図１参照）における文章格納部３１、報知条件記憶部３０、条件照合部
３２及びメインコントローラ３７が、それぞれ文章格納部５１、報知条件記憶部５０、条
件照合部５２及びメインコントローラ５７に置換された以外は、制御部１５と同様のもの
である。
（図６、図７：伝送方式の説明）
次に、データ放送におけるマルチメディアデータの伝送方法について、図６及び図７を
用いて説明する。データ放送におけるマルチメディアデータは、ＤＳＭ−ＣＣ（Digital 
Storage Media Command and Control）ダウンロードカルーセルと呼ばれる方式（以下、
この方式における伝送を「カルーセル伝送」という）で伝送されている。放送局（不図示
）で、ＢＭＬ文書等のファイルは、リソースという単位で表現され、これらのリソースは
モジュールという単位にまとめられる。１つのモジュールは、単一または複数個のリソー
スで構成されている。
【００７４】
今、モジュール１にはＢＭＬ文書Ａが、モジュール２にはＢＭＬ文書Ｂが、モジュール
３にはＢＭＬ文書Ｃ及びＢＭＬ文書Ｄが含まれているとする。モジュール１〜３は、ＤＤ
Ｂ（Download Data Block）メッセージと呼ばれる細かなファイルに分割されて伝送され
る。この伝送の際、モジュールの構成を示す伝送制御情報であるＤＩＩ（Download Info 
Indication）メッセージが付加され、２つのＤＩＩ間のファイルが繰り返し伝送される（
図６参照）。受信端末である携帯電話機３では、ＤＩＩに示される情報を用いることで表
示に必要なモジュールを識別し、表示画面１８に表示を行う。尚、図６ではＤＩＩとＤＤ
Ｂしか図示していないが、他に音声や映像等に関するパケットが放送局から携帯電話機３
に伝送されている。
【００７５】
図７は、ＤＩＩの内部データの一例を示したものである。尚、この図７における記述は
、説明の便宜上、カルーセル伝送における規格に正確に則ってはいない。モジュール１、
２、３に対応して、モジュールＩＤ（moduleＩＤ）が、それぞれ１、２、３と割り振られ
ている。また、モジュール１、２、３には、それぞれモジュールバージョン（module Ver
sion）という値が割り振られている。このモジュールバージョンの値は、初期値として全
て０であるとする。
【００７６】
そして、モジュールの内容に変更が生じたときは、その変更が生じたモジュールに対応
するモジュールバージョンが変更されるようになっている。このモジュールの内容の変更
を、「モジュールの更新」という。すなわち、モジュール１に含まれるＢＭＬ文書Ａの内
容に変更（モジュール１の更新）が生じたときは、モジュール１のモジュールバージョン
の値が、その変更が生じる前のモジュールバージョンの値から変更される（例えば、１だ
けインクリメントされる）。同様に、モジュール２に含まれるＢＭＬ文書Ｂの内容に変更
（モジュール２の更新）が生じたときは、モジュール２のモジュールバージョンの値が、
その変更が生じる前のモジュールバージョンの値から変更され、モジュール３に含まれる
ＢＭＬ文書ＣまたはＢＭＬ文書Ｄの内容に変更（モジュール３の更新）が生じたときは、
モジュール３のモジュールバージョンの値が、その変更が生じる前のモジュールバージョ
ンの値から変更される。
【００７７】
選択したチャンネルのデータ放送を、最初に取得したときには、ＤＩＩに基づいて全て
のＤＤＢを取得し、その全てのＤＤＢに対応するＢＭＬ文書を文章格納部５１に格納する
。その後は、ＤＩＩを参照してモジュール毎の更新の発生有無を監視し、モジュールの更
新があった場合、該当するモジュールに対応するＤＤＢを再取得して、その再取得したＤ
ＤＢに対応するＢＭＬ文書を文章格納部５１に格納する。
【００７８】
尚、文章格納部５１、報知条件記憶部５０、条件照合部５２、メインコントローラ５７
及び制御部６０は、それぞれ図１における文章格納部３１、報知条件記憶部３０、条件照
合部３２、メインコントローラ３７及び制御部１５の有する機能を併せもつようにしても
よい。その場合において、携帯電話機３が受信するデジタル放送に字幕情報が含まれると
きは、携帯電話機３は、その字幕情報を携帯電話機１と同様に利用可能である。
（図８〜図１０：動作の説明）
上記のようなＢＭＬ文書Ａ、Ｂ、Ｃ，Ｄを含むモジュールに係る放送を、携帯電話機３
が受信したときの動作を、図８、図９及び図１０を用いて説明する。図８は、携帯電話機
３の動作を説明するためのフローチャートであり、図９は、携帯電話機３の表示画面１８
の表示状態を示す図である。また、図１０（ａ）及び（ｂ）は、それぞれＢＭＬ文書Ｂ、
及びＢＭＬ文書Ｄに記述された文字列を示したものである。尚、この図１０におけるＢＭ
Ｌ文書は、動作の概念を説明するためのものであって、説明の便宜上、ＢＭＬに定められ
た規則に則っては記述されていない。尚、以下の本実施形態の説明において、単に「ＢＭ
Ｌ文書」と記したものは、ＢＭＬ文書Ａ〜Ｄの全てを含むものとする。
【００７９】
ステップＳ２１において、テレビ番組が表示画面１８に表示されるよう、入力部２０を
操作する。続いて、視聴者は入力部２０を操作することにより、テレビ番組の選局を行う
（ステップＳ２２）。すると、チューナ１２は、選局されたチャンネルの放送信号の復調
を行うようになる。この選局されたチャンネルの放送信号には上述のＢＭＬ文書Ａ，Ｂ、
Ｃ及びＤを含むマルチメディアデータが含まれているものとする。尚、説明の具体化のた
め、選局したチャンネルの放送している番組は、野球番組（野球の試合についての情報を
提供する番組）であるとする。
【００８０】
このステップＳ２２における選局後、入力部２０に所定の操作を行うことにより、ＢＭ
Ｌ文書Ａによる内容が表示画面１８に表示される（ステップＳ２３）。この表示画面１８
の内容を図９（ａ）に示す。ＢＭＬ文書は、ＢＭＬの規則に則って記述することにより、
ＢＭＬ文書に記述された特定の文字列を、表示位置や色、サイズ等を指定した上で表示可
能である。図９（ａ）では、表示画面１８中のエリア７０、７１、７２及び７３に、それ
ぞれ野球中継、スコア、選手情報及び他球場と表示されている。この図９（ａ）の状態に
おいて、入力部２０を操作することにより、エリア７１、７２及び７３を選択して決定キ
ー（不図示）を押下げすると、それぞれ、ＢＭＬ文書Ｂによる内容、ＢＭＬ文書Ｃによる
内容、ＢＭＬ文書Ｄによる内容が表示画面１８に表示されるようになる。
【００８１】
ステップＳ２３を終えて移行するステップＳ２４では、エリア７１を選択して決定キー
（不図示）を押下げする。すると、ＢＭＬ文書Ｂによる内容が表示画面１８に表示される
（ステップＳ２５）。図９（ｂ）は、ＢＭＬ文書Ｂによる内容が表示された表示画面１８
の状態を示す図である。図９（ｂ）は、チームａとチームｂが現在、野球の試合をしてお
り、また、チームａが先攻、チームｂが後攻であって、その試合は２回裏まで進行してい
る（２回裏が終了し、３回表が終了していない状態である）ことを示している。また、３
回表の部分を矢印（カーソル）７４が指定している。
【００８２】
図１０（ａ）は、表示画面１８が図９（ｂ）の状態となっているときの、ＢＭＬ文書Ｂ
の記述内容を示している。エリア８０の部分には、図９（ｂ）における３回表の得点を示
す値が記述されるようになっており、現在は「ＮＵＬＬ文字」が記述されている。このエ
リア８０に「ＮＵＬＬ文字」が記述されているときは、図９（ｂ）における３回表の得点
を示す部分（矢印７４の部分）は、空白になるようになっている。
【００８３】
尚、図８におけるフローチャートには、処理が示されていないが、仮にエリア７３（図
９（ａ）参照）を選択して決定キー（不図示）を押下げすると、ＢＭＬ文書Ｄによる内容
が表示画面１８に表示され、表示画面１８は図９（ｃ）のようになる。図９（ｃ）は、チ
ームｃとチームｄが現在、野球の試合をしており、チームｃが先攻、チームｄが後攻であ
って、その試合は２回裏まで進行していることを示している。図１０（ｂ）は、表示画面
１８が図９（ｃ）の状態となっているときの、ＢＭＬ文書Ｄの記述内容を示しいている。
エリア８１の部分には、図９（ｃ）における３回表の得点を示す値が記述されるようにな
っており、現在は「ＮＵＬＬ文字」が記述されている。
【００８４】
今、携帯電話機３を所持する視聴者は、「チームａとチームｂの野球の試合が進行し、
３回表に得点が表示されたら（３回表の得点を示す部分が空白でなくなったら）表示画面
１８を視聴したい」という要望があるとする。その場合、ステップＳ２５を終えて移行す
るステップＳ２６では、入力部２０を操作して、矢印７４の先端が３回表を示す状態にし
（まさに図９（ｂ）の状態にし）、決定キー（不図示）を押下げする。この際における操
作も、上述と同様、ＧＵＩを利用して行えばよい。
【００８５】
ステップＳ２６を終えて移行するステップＳ２７では、ステップＳ２６で設定された内
容が報知条件記録部５０に記録される。具体的には、「ＢＭＬ文書Ｂのエリア８０に記述
される文字列の内容変更」という報知条件が記録される。
【００８６】
ステップＳ２８では、ＤＩＩをメインコントローラ３７が解析することにより、ＢＭＬ
文書Ｂが格納されるモジュール２（図６参照）の更新が行われていないか（モジュール２
のモジュールバージョンが、前回解析して得たモジュール２のモジュールバージョンから
変更されていないか）を判断する。ここで、モジュール２に関するモジュールの更新のみ
を判断の対象としているのは、ＢＭＬ文書Ｂがモジュール２に含まれるものだからである
。
【００８７】
モジュール２の更新が行われていない場合（ステップＳ２８のＮ）は、ステップＳ２８
の処理を繰り返す。モジュール２の更新が行われている場合（ステップＳ２８のＹ）は、
ステップＳ２９に移行する。
【００８８】
ステップＳ２９では、ステップＳ２７で記憶された報知条件が充足されたかが、条件照
合部５２により判断される。即ち、「ＢＭＬ文書Ｂのエリア８０に記述される文字列の内
容変更」がという報知条件が充足されたかが判断される。そして、その報知条件が充足さ
れない場合（ステップＳ２９のＮ）は、前述のステップＳ２８の処理に戻る一方、その報
知条件が充足している場合（ステップＳ２９のＹ）は、ステップＳ３０に移行する。
【００８９】
ステップＳ３０では、報知部３４が振動部２１を制御して、携帯電話機３を振動させる
。これにより、視聴者は、携帯電話機３を折りたたんで衣服のポケットに入れていた場合
等であっても、報知条件が充足したことを認知可能となり、上述の「チームａとチームｂ
の野球の試合が進行し、３回表に得点が表示されたら表示画面１８を視聴したい」という
要望はかなえられる。尚、振動部２１の作動による振動の発生に代えて、スピーカ１９か
らの放音、表示画面１８の明滅、ＬＥＤ（不図示）の発光等によって、視聴者にキーワー
ドの一致を認識させてもよいし、それらを組み合わせてもよい。
【００９０】
このように、携帯電話機３は、入力部２０の操作により報知条件の設定を受け、データ
放送を受信して、受信された信号から文字情報であるＢＭＬ文書を抽出する。そして、Ｂ
ＭＬ文書が予め設定された報知条件を充足するかを判断し、その判断結果が充足のとき、
前記「報知動作」を行うのである。これにより、視聴者は、視聴を望む特定の場面の映像
等を見逃すことがなくなるとともに、表示画面１８を確認することなく視聴したい映像等
と特に視聴を望まない映像等とを区別することができるようになる。また、テレビ番組の
進行状況を確認することもできる。
【００９１】
また、このＢＭＬ文書は、上述したように所定の規則に則って記述された複数の文字列
から構成されている。また、「ＢＭＬ文書Ｂのエリア８０に記述される文字列の内容変更
」という報知条件は、換言すれば、「ＢＭＬ文書Ｂのエリア８０に記述される文字列」の
みを対象とし、「その対象の内容変更」を報知条件としている。即ち、報知条件は、ＢＭ
Ｌ文書（ＢＭＬ文書Ａ〜Ｄからなる）を構成する文字列の一部（ＢＭＬ文書Ｂのエリア８
０に記述される文字列）のみを対象として設定可能である。そして、条件照合部５２は、
その設定の対象となっている文字列の一部が前記報知条件（対象の内容変更）を充足する
かについて判断するのである。
【００９２】
このように報知条件を設定することにより、仮にチームｃとチームｄの野球の試合が進
行し、ＢＭＬ文書Ｄのエリア８１が変更されることがあっても、報知動作（ステップＳ３
０）は行われない。モジュール３について更新が発生しても、ステップＳ２８の判断結果
は否定（ステップＳ２８のＮ）となり、ステップＳ２９に移行しないからである。つまり
、視聴者は、表示画面１８を確認することなく視聴したい映像等と特に視聴を望まない映
像等とをより明確に区別することができるようになる。
【００９３】
尚、本実施形態においては、ＢＭＬ文書が、４つのＢＭＬ文書Ａ〜Ｄより構成されてい
る例を示したが、ＢＭＬ文書が例えば単一のＢＭＬ文書Ａから構成されていてもかまわな
い。
【００９４】
また、上述のように、「ＢＭＬ文書（ＢＭＬ文書Ａ〜Ｄからなる）を構成する特定のＢ
ＭＬ文書（ＢＭＬ文書Ｂ）に含まれる特定の文字列（エリア８０；図１０参照）が変更さ
れること」を報知条件として設定可能であり、条件照合部５２は、前記特定のＢＭＬ文書
（ＢＭＬ文書Ｂ）に対応するモジュール（上述の例では、モジュール２）の更新があった
ときにのみ、前記報知条件が充足されたかを判断する。これにより、条件照合部５２は、
モジュール２の更新があったときのみ、ステップＳ２９の処理を行えばいいため、制御部
６０全体の処理の負荷が軽くなる。
【００９５】
また、「ステップＳ２８においては、全てのモジュールを対象として更新の有無を判断
」しても構わない。即ち、モジュール１〜３の何れかに対応するモジュールの更新が発生
した時点で、ステップＳ２９の処理に移行するようにしても構わない。このときは、条件
照合部５２は、モジュール１〜３の何れかに対応するモジュールの更新があったときのみ
、ステップＳ２９の処理を行えばいいことになり、これによっても、制御部６０全体の処
理の負荷が軽くなると言える。尚、このように、「ステップＳ２８においては、全てのモ
ジュールを対象としてモジュールの更新の有無を判断」したとしても、ステップＳ２９の
判断処理が存在するため、「ＢＭＬ文書Ｂのエリア８０に記述される文字列の内容変更」
が発生していないのに、報知動作（ステップＳ３０）が行われるということはない。
（キーワード条件）
また、上述のステップＳ２６にて、矢印７４が３回表を示す状態にして、決定キー（不
図示）を押下げした後、更にキーワードを入力部２０の操作により設定できるようにして
もよい。例えば、キーワードとして「１」を入力する。この場合は、ステップＳ２７では
、「ＢＭＬ文書Ｂのエリア８０の内容が１なる」という報知条件が報知条件記録部５０に
記憶される。そして、ステップＳ２９では、「ＢＭＬ文書Ｂのエリア８０の内容が１なる
」という条件が充足されたかが判断され、充足の場合の処理は上述と同様になる。
【００９６】
このように、報知条件はキーワード（「１」）からなるとともに、ＢＭＬ文書（ＢＭＬ
文書Ａ〜Ｄからなる）を構成する文字列の一部（ＢＭＬ文書Ｂのエリア８０に記述される
文字列）のみを対象として設定可能であり、条件照合部５２は、その設定の対象となって
いる文字列の一部が前記報知条件（対象の内容が「１」に変更されるという条件）を充足
するかについて判断するのである。これにより、仮にチームｃとチームｄの野球の試合が
進行し、ＢＭＬ文書Ｄのエリア８１が「１」に変更されることがあっても、報知動作は行
われない（ステップＳ３０には移行しない）。つまり、視聴者は、表示画面１８を確認す
ることなく視聴したい映像等と特に視聴を望まない映像等とをより明確に区別することが
できるようになる。
（イベントメッセージ伝送）
また、本実施形態におけるステップＳ２８では、ＢＭＬ文書Ｂが格納されるモジュール
２（図６参照）の更新が行われていないか（モジュール２のモジュールバージョンが、前
回解析して得たモジュール２のモジュールバージョンから変更されていないか）を判断す
るとしたが、これに代えてイベントメッセージ伝送を利用するようにしてもよい。例えば
、ステップＳ２８の判断処理において、イベントメッセージ伝送により放送局から携帯電
話機３に送られるイベントメッセージが指定する時刻になれば（イベントが発生すれば）
、ステップＳ２９に移行するようにする。そして、ステップＳ２９で、そのイベントメッ
セージによるイベントの発生により、図９（ｂ）における３回表の部分が変更されるので
あれば（または、３回表の部分が設定されたキーワードと一致するようになるのであれば
）、ステップＳ３０に移行するようにすればよい。
（第１、２実施形態との組み合わせ）
また、第３実施形態においても、第１実施形態及び第２実施形態における動作を適用す
ることは可能である。つまり、再報知禁止時間記録部３５及びタイマー回路３６を用いた
「再報知禁止処理」が適用可能である。また、第１実施形態において説明した「画面ＯＮ
制御」（図２におけるステップＳ８参照）、「記録開始制御」及び「チャプター打ち制御
」も適用可能である。また、第２実施形態における音声文字変換部４２を携帯電話機３に
設けるようにして、第２実施形態における動作が可能となるようにしてもよい。
【００９７】
＜＜その他、変形等＞＞
（通信への適用）
また、上述の第１〜３実施形態においては、携帯電話機１〜３が放送による信号を受信
する例を挙げた。しかしながら、携帯電話機１〜３が利用する信号は必ずしも放送による
ものである必要はなく、双方向の通信によるものであってもよい。インターネット等のコ
ンピュータネットワークを介して提供される通信による信号を、放送による信号の代わり
に受信し、上述の第１〜３実施形態に説明した構成及び動作を適用すればよい。
【００９８】
即ち、自動的に次々と送信される通信による信号から文字情報を抽出し、キーワード等
からなる報知条件とを比較判断した上で、上述と同様の報知動作等を行うようにする。こ
の場合、携帯電話機１〜３にとっては、受信した信号が放送によるものか通信によるもの
かが異なるだけで、内部の動作は異ならない。
【００９９】
また、インターネット等で用いられる言語としては、ＨＴＭＬ（HyperText Markup Lan
guage）等があるが、このＨＴＭＬで記述された文書（ＨＴＭＬ文書）も、所定の規則に
則って記述された複数の文字列から構成されており、ＢＭＬ文書と同様に扱うことができ
る。それゆえ、第１〜３実施形態における動作は、全て適用可能であり、そのような携帯
電話機は、上述と同様の作用・効果を奏する。勿論、通信においても、第３実施形態と同
様のＢＭＬ文書を扱うようにしてもよい。
（アナログ放送）
また、第１実施形態及び第２実施形態では、放送がデジタル放送であるとして説明した
が、第１実施形態及び第２実施形態における放送はアナログ放送の場合であってもよい。
但し、放送がデジタル放送であるにせよ、アナログ放送であるにせよ、字幕情報の伝送方
式は、クローズドキャプションである必要がある。つまり、字幕情報と映像情報がデマプ
ルチプレクサ１４にて、分割できる伝送方式である必要がある。
【産業上の利用可能性】
【０１００】
本発明は、放送または通信による信号を受信可能である携帯電話機やＰＨＳ（Personal
Handyphone System）等の携帯端末（携帯用の受信端末）、テレビ受信機及びコンピュー
タ等の受信端末に好適であり、特にテレビ番組の放送を受信してその内容を表示する表示
画面を備えた携帯端末、テレビ受信機及びコンピュータ等に適している。
【図面の簡単な説明】
【０１０１】
【図１】本発明の第１実施形態に係る携帯電話機の電気的構成を示すブロック図である。
【図２】図１における携帯電話機の動作を説明するためのフローチャートである。
【図３】図２におけるフローチャートの示す動作の変形例を説明するための図である。
【図４】本発明の第２実施形態に係る携帯電話機の電気的構成を示すブロック図である。
【図５】本発明の第３実施形態に係る携帯電話機の電気的構成を示すブロック図である。
【図６】図５における携帯電話機が採用する伝送方式を説明するための図である。
【図７】図５における携帯電話機が採用する伝送方式を説明するための図である。
【図８】図５における携帯電話機の動作を説明するためのフローチャートである。
【図９】図５における携帯電話機が備える表示画面の表示例を示す図である。
【図１０】図５における携帯電話機が復号した文字情報を示す図である。
【符号の説明】
【０１０２】
１、２、３    携帯電話機
１１    アンテナ
１２    チューナ
１３    記録媒体
１４、６１    デマルチプレクサ
１５、４０、６０    制御部
１６    ビデオデコーダ
１７    オーディオデコーダ
１８    表示画面
１９    スピーカ
２０    入力部
２１    振動部
３０、５０    報知条件記憶部
３１、４１、５１    文章格納部
３２、５２    条件照合部
３３    出力制御部
３４    報知部
３５    再報知禁止時間記憶部
３６    タイマー回路
３７、５７    メインコントローラ
４２    音声文字変換部
７０、７１、７２、７３、８０、８１、１８ａ    エリア
【図１】
2005277984.tif 000003
【図２】
2005277984.tif 000004
【図３】
2005277984.tif 000005
【図４】
2005277984.tif 000006
【図５】
2005277984.tif 000007
【図６】
2005277984.tif 000008
【図７】
2005277984.tif 000009
【図８】
2005277984.tif 000010
【図９】
2005277984.tif 000011
【図１０】
2005277984.tif 000012